(57)【要約】【課題】本発明の課題は、パチンコ店に配置された遊技台の環境をコントロールして、所望の遊技台売上を達成するために最適化した環境制御を実現する制御計画を生成するシステムを提供する。【解決手段】  複数の制御計画案を記憶する記憶手段と、前記制御計画案それぞれの実施店群の選択をし、該実施店群に属する各実施店に前記選択に係る制御計画案を、通信回線を介して、設定をする計画設定手段と、前記各実施店に設けられ、前記設定に従い前記環境の制御をする、通信回線に接続されたコントローラと、前記実施店群に属するそれぞれの店における前記遊技台の売上を管理する売上管理手段と、前記遊技台の売上を前記実施店群の間で相互に比較をして、前記遊技台にとって最適な制御計画を作成する計画作成手段と、から構成される。【選択図】図１
2018094336.tif 000002
【特許請求の範囲】
【請求項１】
パチンコ店で扱う遊技台と該遊技台に対応付けられた環境の制御計画を作成する制御計画作成システムであって、
複数の制御計画案を記憶する記憶手段と、
前記複数の制御計画案毎にその制御計画案を実施する実施店から構成される実施店群の選択をし、該実施店群に属する前記実施店に前記選択に係る制御計画案を、通信回線を介して、設定をする計画設定手段と、
前記実施店に設けられ、前記設定に従い前記環境の制御をする、通信回線に接続されたコントローラと、
前記実施店群毎に前記実施店における前記遊技台の売上を管理する売上管理手段と、
前記遊技台の売上を異なる制御計画案を実施する実施店群の間で相互に比較をして、前記遊技台にとって最適な制御計画を作成する計画作成手段と、
から構成されることを特徴とするシステム。
【請求項２】
前記環境は照明状態を含むものであって、前記制御は前記遊技台に対応付けられた照明設備が発する光の波長スペクトルの制御を含むことを特徴とする請求項１に記載のシステム。 
【請求項３】
前記環境は音楽音響状態を含むものであって、前記コントローラは前記遊技台に対応付けられた音楽提供設備の制御を実行することを特徴とする請求項１に記載のシステム。 
【請求項４】
前記環境は空気状態を含むものであって、前記コントローラは前記遊技台の置かれた場所の 前記環境の温度又は湿度を含む環境情報を取得する環境情報取得手段を備え、前記環境情報を参照して前記遊技台に対する空調設備の制御を実行することを特徴とする請求項１に記 載のシステム。 
【請求項５】
前記制御計画案は、前記実施店において想定される顧客の属性に応じた制御を設定するものであることを特徴とする請求項１に記載のシステム。
【請求項６】
前記比較は予め設定した時間帯毎の売上の比較であって、前記最適化は該時間毎の最適な環境を提供する制御計画を生成することであることを特徴とする請求項１乃至５に記載の システム。 
【請求項７】
前記比較は予め設定した地域毎の売上の比較であって、前記最適化は該地域毎の最適な環境を提供する制御計画を生成することであることを特徴とする請求項１乃至５に記載のシステム。
【発明の詳細な説明】
【技術分野】
【０００１】
本発明は、遊技台の環境を制御する制御計画を生成するシステムに関し、特にパチンコ店に配置された遊技台の環境を売上の観点から最適化するように環境を制御する制御計画を生成するシステムに関する。
ここで遊技台の環境とは、遊技台に対応する照明状態、音楽音響状態、空気状態等をいう。
【背景技術】
【０００２】
パチンコ店において、遊技台が配置された場所には、照明装置、音楽音響装置、空調装置等の遊技台に対応する装置が装備されているのが通常である。これらの環境制御装置は、売上の観点ではなく、人間の印象や感性による判断や省エネや快適さの観点から決めた温度湿度等の基準によって運転制御されていた。
ここでパチンコ店とは、いわゆるパチンコに限定されることなくパチスロ等の遊技設備をユーザに対して有料で使わせる店舗と広く解するものとする
【０００３】
照明状態に関していえば、ＬＥＤなどを用いた照明装置によって、遊技台が配置された場所に届く光のスペクトルや色温度等の照明状態をコントロールすることが可能である。
音楽音響状態に関しては、バックグランドミュージックとして店内に配置されたスピーカー等の音楽音響装置によって、コントロールすることが可能である
空気状態に関しては、それらをセンスする温度・湿度センサを遊技台周辺や遊技台自体に設置することで、センスした温度や湿度をフィードバックして空調装置等を制御することにより、コントロールすることが可能である。
【０００４】
このような背景から、パチンコ店に配置された遊技台の環境をコントロールして、遊技台の売上を最適にする計画を提供するシステムが望まれていた。
【先行技術文献】
【特許文献】
【０００５】
特許文献１では、計画案を利用者のワークスタイルを勘案して作成することで、利用者にとって最適な運転計画を作成することが提案されている。
各従業員によって入力された、各電気設備を構成する各機器の運転計画に関する情報と、各従業員のワークスタイルに関する情報に基づいて、各電気設備を構成する各機器の運転計画を作成するシステムである。
特許文献1のシステムは、各従業員によって入力された情報を基に機器の運転計画を作成するシステムであり、パチンコ店のシステムに応用するのは困難である。例えば、遊技台を利用する客に如何なる情報を入力させ、どのようにして入力を担保するか、というようなパチンコ店の運営の観点から困難と考えられる問題がある。
【特許文献１】特開２０１１−６５４４７号公報
【発明の概要】
【発明が解決しようとする課題】
【０００６】
本発明の課題は、パチンコ店に配置された遊技台の環境をコントロールして、所望の遊技台売上を達成するために最適化した環境制御を実現する制御計画を生成するシステムを提供することである。
【課題を解決するための手段】
【０００７】
本発明の第一の観点では、
パチンコ店で扱う遊技台と該遊技台に対応付けられた環境の制御計画を作成する制御計画作成システムであって、
複数の制御計画案を記憶する記憶手段と、
前記複数の制御計画案毎にその制御計画案を実施する実施店から構成される実施店群の選択をし、該実施店群に属する前記実施店に前記選択に係る制御計画案を、通信回線を介して、設定をする計画設定手段と、
前記実施店に設けられ、前記設定に従い前記環境の制御をする、通信回線に接続されたコントローラと、
前記実施店群毎に前記実施店における前記遊技台の売上を管理する売上管理手段と、
前記遊技台の売上を異なる制御計画案を実施する実施店群の間で相互に比較をして、前記遊技台にとって最適な制御計画を作成する計画作成手段と、
から構成されることを特徴とするシステムが提供される。
【０００８】
上記環境は照明状態を含むものであって、前記制御は前記遊技台に対応付けられた照明設備が発する光の波長スペクトルの制御を含む、としてもよい。
【０００９】
上記環境は音楽音響状態を含むものであって、前記コントローラは前記遊技台に対応付けられた音楽音響設備の制御を実行する、としてもよい。
【００１０】
上記環境は空気状態を含むものであって、前記コントローラは前記遊技台の置かれた場所の前記環境の温度又は湿度を含む環境情報を取得する環境情報取得手段を備え、前記環境情報を参照して前記遊技台に対する空調設備の制御を実行する、としてもよい。
【００１１】
上記制御計画案は、前記実施店において想定される顧客の属性に応じた制御を設定するものである、としてもよい。
【００１２】
上記比較は予め設定した時間帯毎の売上の比較であって、前記最適化は該時間毎の最適な環境を提供する制御計画を生成する、としてもよい。
【００１３】
上記比較は予め設定した地域毎の売上の比較であって、前記最適化は該地域毎の最適な環境を提供する制御計画を生成することである、としてもよい。
【図面の簡単な説明】
【００１４】
【図１】図１は、本実施例の遊技台環境の制御計画生成システムの全体図である。
【図２】図２は、Ａ制御計画案に係るパチンコ店の本実施例に係る構成を示したブロック図である。
【図３】図３は、売上管理本部の機能構成を示したブロック図である。
【図４】図４は、上記売上情報のうちＡ制御計画案とＢ制御計画案に係る遊技台の売上データのデータ構造を示したブロック図である。
【図５】図５は、パチンコ店１００１の売上データ１Ｅの時間帯毎に集計された内部構造を示したブロック図である。
【図６】図６は、監視計画本部の機能構成を示したブロック図である
【図７】図７は、制御計画案を実施パチンコ店に設定するための計画案設定テーブルのデータ構造を示したブロック図である。
【図８】図８は、計画データベースに格納されたＡ制御計画案データのデータ構造を示したブロック図である。
【図９】図９は、Ｂ制御計画案データのデータ構造を示したブロック図である。
【図１０】図１０は、Ａ制御計画案における１１１Ａで示される第１１遊技台に係る環境の制御データのデータ構造を示したブロック図である。
【図１１】図１１は、Ｂ制御計画案における１１１Ｂで示される第１１遊技台に係る環境の制御データのデータ構造を示したブロック図である。
【図１２】図１２は、照明状態制御データの一例を示した模式図である。
【図１３】図１３は、音楽音響状態制御データの一例を示したブロック図である。
【図１４】図１４は、空調状態制御データの一例を示したブロック図である。
【図１５】図１５は、比較生成部における比較生成動作を示した模式図である。
【図１６】図１６は、計画データベースに格納されたＡ制御計画案データのデータ構造を示したブロック図である。
【図１７】図１７は、計画データベースに格納されたB制御計画案データのデータ構造を示したブロック図である。
【図１８】図１８は、比較生成部における比較生成動作を示した模式図である。
【図１９】図１９は各パチンコ店の時間帯毎の属性テーブルの一例である。
【図２０】図２０は各パチンコ店の地域を示した属性テーブルのブロック図である。
【図２１】図２１は、Ａ計画案データのデータ構造を示したブロック図である。
【図２２】図２２は、Ｂ計画案データのデータ構造を示したブロック図である。
【図２３】図２３は、Ａ制御計画案とＢ制御計画案に係る遊技台の売上データのデータ構造を示したブロック図である。
【図２４】図２４は、Ａ制御計画案に係る遊技台と地域との組合せ別に集計した、所定の期間における売上データである。
【図２５】図２５は、Ｂ制御計画案に係る遊技台と地域との組合せ別に集計した、所定の期間における売上データである。
【図２６】図２６は、比較生成部における比較生成動作を示した模式図である。
【発明を実施するための形態】
【００１５】
以下、本発明の具体例につき図面を用いた実施例において説明する。
ここで示す売上管理本部、監視計画本部、各パチンコ店等の機能構成部の動作は、予め組み込まれたファームウエア等の制御プログラムをコントロール回路のプロセッサで実行し、システムの構成要素となる各種デバイスと協働することにより実現される。また、これらのプログラムは、コンピュータで読み取り可能な記録媒体に記録され、当該プロセッサによって記録媒体から読み出され、ユーザが操作すること又はシステムを構成するデバイスからの信号を受信することによって実行される。
【実施例１】
【００１６】
（全体図：ネットワーク含む）
図１は、本実施例の遊技台環境の制御計画生成システムの全体図である。Ａ制御計画案を実施するパチンコ店群１００１及び１００２、Ｂ制御計画案を実施するパチンコ店群１００３及び１００４、これらのパチンコ店に設けたコントローラが接続する通信ネットワーク１００５、上記パチンコ店群を含むパチンコ店全体の売上を管理する売上管理本部１００６そして上記通信ネットワーク経由で上記コントローラを管理する監視計画本部１００７という構成である。  ここで各パチンコ店１００１〜１００４と売上管理本部１００６とは、通信ネットワーク１００５とは異なる専用のネットワーク経由で接続し、各パチンコ店で扱う遊技台すべての売上を管理するものとする。  ここでは、Ａ制御計画案とＢ制御計画案の２つの制御計画案であって、各パチンコ店群は２店舗のパチンコ店で構成されているが、本発明で採用されうる制御計画案の数やパチンコ店群を構成するパチンコ店数はこれに限定されるものではない。売上管理本部が管理するパチンコ店の数、パチンコ店全体が分布する地域、扱う遊技台の性質などに応じて適宜設定されうる。
【００１７】
（パチンコ店の構成）
図２は、Ａ制御計画案に係るパチンコ店１００１の本実施例に係る構成を示したブロック図である。パチンコ店１００２の構成及びＢ制御計画案に係るパチンコ店１００３及び１００４も同様の構成となる。
第一の島２０００と、第二の島２０２０と、通信ネットワークと接続したベースステーション２０４０という大きな構成からなる。
ここで「島」とは、パチンコ等の遊技台を複数台毎に隣接して並べて配置することにより形成された形態のことを言うパチンコ業界用語である。
【００１８】
第一の島２０００の構成要素を説明する。
第１１遊技台２００１、第１２遊技台２００２及び第１３遊技台２００３が島２０００を形成している。
【００１９】
音楽音響装置２００４、２００５及び２００６は、それぞれ別個に第１１遊技台、第１２遊技台及び第１３遊技台の音響環境を制御する。
椅子２００７、２００８及び２００９に座って、対面する第１１遊技台、第１２遊技台及び第１３遊技台で遊戯する客に対応する空気状態を、遊技台に取り付けた温度・湿度センサ２０１０、２０１１及び２０１２によってセンシングする。センシングされた環境情報は、それぞれ対応付けられた遊技台の周囲の温度と湿度であり、後で説明するコントローラ２０１９にフィードバックされて、制御計画案で指示された空気状態を実現するように空調装置２０１６、２０１７及び２０１８をコントローラが制御するために利用される。
【００２０】
照明装置２０１３、２０１４及び２０１５は、それぞれ別個に第１１遊技台、第１２遊技台及び第１３遊技台に設置されており、それぞれの遊技台で遊戯する客の照明環境を制御する。
照明装置２０１３は、波長スペクトルを調整する機能を備えたＬＥＤ（ light emitting diode）照明であり、第１遊技台２００１に照射される光を制御する。この光の波長スペクトルを含む照明パターンは、コントローラ２０１３によってコントロールされる。
照明装置２０１４及び２０１５も同様である。
【００２１】
コントローラ２０１９は、制御計画案に基づいて上記照明装置２０１３、２０１４及び２０１５と、音楽音響装置２００４、２００５及び２００６と、空調装置２０１６、２０１７及び２０１８と、を制御する。
【００２２】
第二の島２０２０の構成要素は、対応する図番に読みかえれば、第一の島と同様の構成要素となるので、説明の繰り返しを省略する。
【００２３】
ベースステーション２０４０は、通信ネットワーク１００５に接続する機能を備え、受信した制御計画案のコントローラ２０１９、２０３９への出力と、温度・湿度センサ２０１０、２０１１、２０１２、２０３０、２０３１及び２０３２が収集した遊技台の環境情報の監視計画本部１００７への送信と、を実行する。
【００２４】
Ｂ制御計画案に係るパチンコ店１００３及び１００４の構成は、先に記した通り採用する制御計画案が異なる点を除いてパチンコ店１００１と同様の構成となるので、これについての説明の繰り返しを省略する。
【００２５】
（売上管理本部）図３は、売上管理本部１００６の機能構成を示したブロック図である。特に図示しない専用回線を介して各パチンコ店と通信して、各パチンコ店の遊技台毎の売上情報を取得する店舗売上取得部３００１、取得した売上情報を後で示す構造の売上データとして売上データベースに格納し、呼び出しに応じて売上データを出力する売上管理部３００２そして売上データを格納する売上データベース３００３という機能構成部から、売上管理本部は構成されている。
【００２６】
（売上データの構造）図４は、上記売上情報のうちＡ制御計画案とＢ制御計画案に係る遊技台の売上データのデータ構造を示したブロック図である。店舗ＩＤ４００１、売上データ４００２という構造である。４００３は、パチンコ店１００１の店舗ＩＤと売上データである。同様に、４００９、４０１０及び４０１１は、パチンコ店１００２、１００３及び１００４に対応した店舗ＩＤと売上データである。
【００２７】
（売上データの内部構造）  図５は、パチンコ店１００１の売上データ１Ｅの内部構造を示したブロック図である。第１１遊技台の時間帯毎の売上５００１、第１２遊技台の時間帯毎の売上５００２、第１３遊技台の時間帯毎の売上５００３、第２１遊技台の時間帯毎の売上５００４、第２２遊技台の時間帯毎の売上５００５そして第２３遊技台の時間帯毎の売上５００６という構造である。ここで時間帯の区分として、9時以降13時未満５００７、13時以降17時未満５００８、17時以降20時未満５００９そして20時以降23時未満５０１０という区分が採用されている。
【００２８】
本発明の時間帯の区分は、ここで示した時間帯の区分に限定されるものではなく、遊技台の性質や制御計画案を実施するパチンコ店の属性などに応じて適宜変更されうる。
【００２９】
（監視計画本部）
図６は、監視計画本部１００７の機能構成を示したブロック図である。
計画データベース６００１は、複数の制御計画案と、それぞれの制御計画案を設定するパチンコ店を示した計画案設定テーブルと、生成した制御計画と、を格納する。
【００３０】
設定部６００２は、上記計画データベースに格納された制御計画案と計画案設定テーブルを参照して、各パチンコ店に制御計画案を、通信回線１００５を介して配信し、設定する。
【００３１】
（計画案設定テーブル）
図７は、制御計画案を実施パチンコ店に設定するための計画案設定テーブルのデータ構造を示したブロック図である。７００１で示す列は、計画案ＩＤがＡＰであるＡ制御計画案を採用するパチンコ店に対して「１」、採用しないパチンコ店に対して「０」の値が格納されている。７００２で示す列は、計画案ＩＤがＢＰであるＢ制御計画案を採用するパチンコ店に対して「１」、採用しないパチンコ店に対して「０」の値が格納されている。
【００３２】
行７００３は、店舗ＩＤが１Ｒであるパチンコ店１００１にＡ制御計画案を設定することを示している。行７００４は、店舗ＩＤが２Ｒであるパチンコ店１００２にＡ制御計画案を設定することを示している。行７００５は、店舗ＩＤが３Ｒであるパチンコ店１００３にＢ制御計画案を設定することを示している。行７００６は、店舗ＩＤが４Ｒであるパチンコ店１００４がＢ制御計画案を設定することを示している。
【００３３】
（計画案データ）
図８は、計画データベース６００１に格納されたＡ制御計画案データのデータ構造を示したブロック図である。
列８００１〜列８００６は、第１１遊技台〜第２３遊技台に係る環境の時間帯別の制御データのＩＤが示されている。
【００３４】
行８００７には、9時以降13時未満の時間帯における第１１遊技台〜第２３遊技台に係る環境の制御データのＩＤが示されている。行８００８には、13時以降17時未満の時間帯における第１１遊技台〜第２３遊技台の制御データのＩＤが示されている。行８００９には、17時以降20時未満の時間帯における第１１遊技台〜第２３遊技台に係る環境の制御データのＩＤが示されている。行８０１０には、20時以降23時未満の時間帯における第１１遊技台〜第２３遊技台に係る環境の制御データのＩＤが示されている。
【００３５】
本発明の時間帯の区分は、ここで示した時間帯の区分に限定されるものではなく、遊技台の性質や制御計画案を実施するパチンコ店の属性などに応じて適宜変更されうる。
【００３６】
図９は、Ｂ制御計画案データのデータ構造を示したブロック図である。Ａ制御計画案データと対比可能なデータ構造となっている。
列９００１〜列９００６は、第１１遊技台〜第２３遊技台に係る環境の時間帯別の制御データのＩＤが示されている。
【００３７】
行９００７には、9時以降13時未満の時間帯における第１１遊技台〜第２３遊技台に係る環境の制御データのＩＤが示されている。行９００８には、13時以降17時未満の時間帯における第１１遊技台〜第２３遊技台に係る環境の制御データのＩＤが示されている。行９００９には、17時以降20時未満の時間帯における第１１遊技台〜第２３遊技台に係る環境の制御データのＩＤが示されている。行９０１０には、20時以降23時未満の時間帯における第１１遊技台〜第２３遊技台に係る環境の制御データのＩＤが示されている。
【００３８】
図１０は、図８のＡ制御計画案における１１１Ａで示される第１１遊技台に係る環境の制御データのデータ構造を示したブロック図である。時間帯１０００１、照明状態制御データ１０００２、音楽音響状態制御データ１０００３そして空調状態制御データ１０００４という構造である。１０００５に示すように、9時以降13時未満の時間帯について、照明状態制御データのＩＤが１１１ＬＡ、音楽音響状態制御データのＩＤが１１１ＭＡ、空調状態制御データのＩＤが１１１ＡＡというように指定されている。
図８に示される他の時間帯及び遊技台に係る制御データ１１２Ａ〜４２３Ａも同様のデータ構造である。
【００３９】
図１１は、図９のＢ制御計画案における１１１Ｂで示される第１１遊技台に係る環境の制御データのデータ構造を示したブロック図である。時間帯１１００１、照明状態制御データ１１００２、音楽音響状態制御データ１１００３そして空調状態制御データ１１００４という構造である。１１００５に示すように、9時以降13時未満の時間帯について、照明制御データのＩＤが１１１ＬＢ、音楽音響状態制御データのＩＤが１１１ＭＢ、空調状態制御データのＩＤが１１１ＡＢというように指定されている。
図９に示される他の時間帯及び遊技台に係る制御データ１１２Ｂ〜４２３Ｂも同様のデータ構造である。
【００４０】
図１２は、照明状態制御データ１０００２の一例を示した模式図である。相対色温度（ＣＣＴ）１２００１と、演色評価数（ＣＲＩ）１２００２と、照度（ＬＵＸ）１２００３と、ピーク発光波長（λＰ）１２００４と、電磁スペクトル分布１２００５と、から構成されている。１２００６は、照明状態を示した色度図である。照明状態制御データ１１００２も同様である。
本発明で採用される照明状態制御データは、この例に示したデータに限られるものではなく、適宜変更されうる。
【００４１】
図１３は、音楽音響状態制御データ１０００３の一例を示したブロック図である。楽曲１３００１と、ボリューム１３００２と、テンポ１３００３と、から構成される。音楽音響状態制御データ１１００３も同様である。
本発明で採用される音楽音響状態制御データは、この例に示したデータに限られるものではなく、適宜変更されうる。
【００４２】
図１４は、空調状態制御データ１０００４の一例を示したブロック図である。温度１４００１と湿度１４００２とから構成される。空調状態制御データ１１００４も同様である。
本発明で採用される空気状態制御データは、この例に示したデータに限られるものではなく、適宜変更されうる。
【００４３】
図６の説明に戻る。売上取得部６００３は、売上管理本部１００６と特に図示しない専用回線を介して通信して、パチンコ店毎の売上データを取得する。
【００４４】
比較生成部６００４は、Ａ制御計画案の売上とＢ制御計画案の売上を時間帯と遊技台の組合せ毎に比較して、それぞれの組合せについて売上の大きい方の制御計画案の制御データを採用することにより、最適な制御計画を生成する。
【００４５】
図１５は、比較生成部６００４における比較生成動作を示した模式図である。
比較ステップ１５００１に示すように、Ａ制御計画案に係る各パチンコ店の時間帯と遊技台の組合せ毎の売上の平均１５００２とＢ制御計画案に係る各パチンコ店の時間帯と遊技台の組合せ毎の売上平均１５００３とを対応する組合せ毎に比較する。
組合せ毎に売上平均の大きい方の制御データを採用する。例えば、9時から13時の時間帯における第１１遊技台の売上平均である１１１ＲＡと１１１ＲＢとを比較して、１１１ＲＡの方が大きいので制御データ１１１Ａを採用するというように、すべての組合せについて比較を行う。このようにして最適化されたものが制御計画１５００４である。
【００４６】
ここでは、照明状態と音楽音響状態と空調状態との組合せ制御である制御データ１１１Ａ〜４２３Ｂに係る売上ついて比較をして、最適化された制御計画を生成したが、本発明に係る比較による生成はこれに限られるものではない。照明状態の制御データ１１１ＬＡ〜４２３ＬＢ、音楽音響状態１１１ＭＡ〜４２３ＭＢ及び空調状態１１１ＡＡ〜４２３ＡＢをそれぞれに係る売上平均を別途比較して、最適化された照明状態制御計画、音楽音響状態制御計画及び空調状態制御計画を生成してもよい。あるいは、これら３つのうち2つの組合せについての照明・音楽音響状態制御計画、照明・空調状態制御計画等を生成してもよい。
また、店舗群間で比較される遊技台は、各店舗における相対的位置を示す第番号が同一である遊技台同士であるが、本願発明で比較のために各店舗の遊技台を対応させる属性は、これに限定されるものではない。台にセットされた遊技の種類など所望の比較のための台の属性が適宜採用されうる。
【００４７】
（変形例１：顧客属性別の制御計画）ここまでは、遊技台と時間帯の組合せ別に最適化された制御計画を生成したが、遊技台と顧客属性別の組合せ別に最適化された制御計画を生成する変形例を示す。変形例１においては、実施例１と同様の構成は、省略して変形例に特有の構成について説明する。
【００４８】
（変形例１の計画案データ）
図１６は、計画データベース６００１に格納されたＡ制御計画案データのデータ構造を示したブロック図である。
列１６００１〜列１６００６は、第１１遊技台〜第２３遊技台に係る環境の顧客属性別の制御データのＩＤが示されている。
【００４９】
行１６００７には、学生が顧客の中心となる顧客属性１Pの時間帯における第１１遊技台〜第２３遊技台に係る環境の制御データのＩＤが示されている。行１６００８には、サラリーマンが顧客の中心となる顧客属性２Pの時間帯における第１１遊技台〜第２３遊技台の制御データのＩＤが示されている。行１６００９には、主婦が顧客の中心となる顧客属性３Pの時間帯における第１１遊技台〜第２３遊技台に係る環境の制御データのＩＤが示されている。行１６０１０には、土木作業者が顧客の中心となる顧客属性４Pの時間帯における第１１遊技台〜第２３遊技台の制御データのＩＤが示されている。
【００５０】
図１７は、計画データベース６００１に格納されたB制御計画案データのデータ構造を示したブロック図である。
列１７００１〜列１７００６は、第１１遊技台〜第２３遊技台に係る環境の顧客属性別の制御データのＩＤが示されている。
【００５１】
行１７００７には、学生が顧客の中心となる顧客属性１Pの時間帯における第１１遊技台〜第２３遊技台に係る環境の制御データのＩＤが示されている。行１７００８には、サラリーマンが顧客の中心となる顧客属性２Pの時間帯における第１１遊技台〜第２３遊技台の制御データのＩＤが示されている。行１７００９には、主婦が顧客の中心となる顧客属性３Pの時間帯における第１１遊技台〜第２３遊技台に係る環境の制御データのＩＤが示されている。行１７０１０には、土木作業者  が顧客の中心となる顧客属性４Pの時間帯における第１１遊技台〜第２３遊技台の制御データのＩＤが示されている。
【００５２】
図１８は、比較生成部６００４における比較生成動作を示した模式図である。
比較ステップ１８００１に示すように、Ａ制御計画案に係る各パチンコ店の顧客属性と遊技台の組合せ毎の単位時間当たり売上１８００２とＢ制御計画案に係る各パチンコ店の顧客属性と遊技台の組合せ毎の単位時間当たり売上１８００３とを対応する組合せ毎に比較する。
【００５３】
ここでは、計画データベース６００１には各パチンコ店は時間帯毎に顧客の中心層の属性テーブルが格納されている。売上取得部６００３は、属性テーブルを参照して、各パチンコ店の売上を顧客属性と遊技台との組合せに分類し、集計し、単位時間当たり売上を計算する。
図１９は各パチンコ店の時間帯毎の属性テーブルの一例である。列１９００１は、パチンコ店１００１の時間帯毎の顧客属性である。列１９００２〜１９００４も同様に、パチンコ店１００２〜１００４の時間帯毎の顧客属性を示している。
【００５４】
図１８の説明に戻る。
組合せ毎に単位時間当たり売上の大きい方の制御データを採用する。例えば、顧客属性１Pにおける第１１遊技台の単位時間当たり売上である１１１ＲＡと１１１ＲＢとを比較して、１１１ＲＡの方が大きいので制御データ１１１Ａを採用するというように、すべての組合せについて比較を行う。このようにして最適化されたものが制御計画１８００４である。
【００５５】
（変形例２：地域別の制御計画）次に、遊技台と地域の組合せ別に最適化された制御計画を生成する変形例２を示す。
【００５６】
変形例２においては、計画データベース６００１は地域を示した属性テーブルをさらに備えている。図２０は各パチンコ店の地域を示した属性テーブルのブロック図である。店舗ＩＤ２０００１と地域ＩＤ２０００２とから構成されている。２０００３は、パチンコ店１００１の店舗ＩＤと地域ＩＤを示している。同様に２０００４〜２０００６は、パチンコ店１００２〜１００４の店舗ＩＤと地域ＩＤとを示している。
【００５７】
（地域別計画案データ）
図２１は、Ａ計画案データのデータ構造を示したブロック図である。実施例１で示した計画案データと異なり、時間帯毎の区分ではなく、地域毎に区分がされる。
列２１００１は、第１１遊技台の制御データのＩＤが示されている。２１００７行に該当する地域１Ｇについては制御データ１１１Ａ、２１００８行に該当する地域２Ｇについては２１１Ａが示されている。
同様に列２１００２〜列２１００６は、第１２遊技台〜第２３遊技台の制御データのＩＤが示されている。そして、２１００７行に該当する地域１Ｇについては、制御データ１１２Ａ〜１２３Ａ、２１００８行に該当する地域２Ｇについては、２１２Ａ〜２２３Ａが示されている。
【００５８】
図２２は、Ｂ計画案データのデータ構造を示したブロック図である。Ａ計画案データと同様の構造であり、時間帯毎の区分ではなく、地域毎に区分がされる。
列２２００１は、第１１遊技台の制御データのＩＤが示されている。２２００７行に該当する地域１Ｇについては制御データ１１１Ｂ、２２００８行に該当する地域２Ｇについては２１１Ｂが示されている。
同様に列２２００２〜列２２００６は、第１２遊技台〜第２３遊技台の制御データのＩＤが示されている。そして、２２００７行に該当する地域１Ｇについては、制御データ１１２Ｂ〜１２３Ｂ、２１００８行に該当する地域２Ｇについては、２１２Ｂ〜２２３Ｂが示されている。
【００５９】
（変形例２における売上データの構造）図２３は、Ａ制御計画案とＢ制御計画案に係る遊技台の売上データのデータ構造を示したブロック図である。列２３００１は、所定の期間における第１１遊技台に係るパチンコ店１００１〜パチンコ店１００４の売上データである。同様に、列２３００２〜列２３００６は、所定の期間における第１２遊技台〜第２３遊技台に係るパチンコ店１００２〜パチンコ店１００４の売上である。行２３００７は、パチンコ店１００１の店舗ＩＤと各遊技台の売上データを示している。同様に、行２３００８〜行２３０１０は、パチンコ店１００２〜パチンコ店１００４の店舗ＩＤと各遊技台の売上データを示している。
【００６０】
図２４は、Ａ制御計画案に係る遊技台と地域との組合せ別に集計した、所定の期間における売上データである。同様に、列２４００１〜列２４００６は、各遊技台の地域毎の所定の期間における平均売上データである。これらは、図２３で説明したパチンコ店毎の売上と図２０で説明した属性テーブルを参照して、売上取得部６００３によって、分類され、計算される。
行２４００７が、地域１Ｇの各遊技台の売上を、行２４００８が地域２Ｇの各遊技台の売上である。
【００６１】
図２５は、Ｂ制御計画案に係る遊技台と地域との組合せ別に集計した、所定の期間における売上データである。
列２５００１〜列２５００６は、各遊技台の地域毎の平均売上データであり、図２３で説明したパチンコ店毎の売上と図２０で説明した属性テーブルを参照して、売上取得部６００３が分類し、計算する。
行２５００７が、地域１Ｇの各遊技台の売上を、行２５００８が地域２Ｇの各遊技台の売上である。
【００６２】
図２４及び図２５において、各地域の平均売上を採用したが、本発明に係る売上データはこれに限定されるものではなく、売上の最頻値や最大売上パチンコ店の売上などが適宜変更されうる
【００６３】
図２６は、比較生成部６００４における比較生成動作を示した模式図である。
比較ステップ２６００１に示すように、Ａ制御計画案に係る地域と遊技台の組合せ毎の所定の期間における売上２６００２とＢ制御計画案に係る地域と遊技台の組合せ毎の所定の期間における売上２６００３とを対応する組合せ毎に比較する。
【００６４】
組合せ毎に所定の期間における売上の大きい方の制御データを採用する。例えば、地域１Ｇにおける第１１遊技台の売上である１１１ＲＡと１１１ＲＢとを比較して、１１１ＲＡの方が大きいので制御データ１１１Ａを採用するというように、すべての組合せについて比較を行う。このようにして最適化されたものが制御計画２６００４である。
【００６５】
以上のようなシステムを採用することにより、複数の制御計画案を適宜配信して、様々な観点から売上を比較することにより、最適化された制御計画を生成することができる。
【産業上の利用可能性】
【００６６】
本発明は、複数のパチンコ店を系列にして展開する、パチンコ店チェーン等の業界において適用可能である。
【符号の説明】
【００６７】
１００１  Ａ制御計画案を実施するパチンコ店
１００２  Ａ制御計画案を実施するパチンコ店
１００３  Ｂ制御計画案を実施するパチンコ店
１００４  Ｂ制御計画案を実施するパチンコ店
１００５  通信ネットワーク
１００６  売上管理本部
１００７  監視計画本部
【図１】
2018094336.tif 000003
【図２】
2018094336.tif 000004
【図３】
2018094336.tif 000005
【図４】
2018094336.tif 000006
【図５】
2018094336.tif 000007
【図６】
2018094336.tif 000008
【図７】
2018094336.tif 000009
【図８】
2018094336.tif 000010
【図９】
2018094336.tif 000011
【図１０】
2018094336.tif 000012
【図１１】
2018094336.tif 000013
【図１２】
2018094336.tif 000014
【図１３】
2018094336.tif 000015
【図１４】
2018094336.tif 000016
【図１５】
2018094336.tif 000017
【図１６】
2018094336.tif 000018
【図１７】
2018094336.tif 000019
【図１８】
2018094336.tif 000020
【図１９】
2018094336.tif 000021
【図２０】
2018094336.tif 000022
【図２１】
2018094336.tif 000023
【図２２】
2018094336.tif 000024
【図２３】
2018094336.tif 000025
【図２４】
2018094336.tif 000026
【図２５】
2018094336.tif 000027
【図２６】
2018094336.tif 000028